(57)【要約】【課題】所望の頁に該当する原稿をプレビュー表示させる場合において、ユーザの負担を軽減すると共に作業効率の低下を抑制する。【解決手段】原稿を読み取り、当該読み取った原稿の画像データを生成する画像読取手段と、画像読取手段によって生成した原稿の画像データを記憶する記憶手段と、画像データに応じた原稿の画像をプレビュー画面上に表示する表示手段と、数値入力キーが設けられた操作手段と、プレビュー画面の表示期間中において、数値入力キーの操作によって所定の数値が入力された場合、現在プレビュー画面上に表示中の原稿から所定の数値分だけ頁が進んだ、または頁が戻った原稿の画像データを記憶手段から読み出し、当該読み出した画像データに応じた原稿の画像を表示するように表示手段を制御する表示制御手段とを具備する。【選択図】図１
2008245052.tif 000002
【特許請求の範囲】
【請求項１】
読み取った原稿のプレビュー画面表示機能を有する画像読取装置であって、
前記原稿を読み取り、当該読み取った原稿の画像データを生成する画像読取手段と、  
前記画像読取手段によって生成した原稿の画像データを記憶する記憶手段と、
前記画像データに応じた原稿の画像をプレビュー画面上に表示する表示手段と、
数値入力キーが設けられた操作手段と、
前記プレビュー画面の表示期間中において、前記数値入力キーの操作によって所定の数値が入力された場合、現在プレビュー画面上に表示中の原稿から前記所定の数値分だけ頁が進んだ、または頁が戻った原稿の画像データを前記記憶手段から読み出し、当該読み出した画像データに応じた原稿の画像を表示するように前記表示手段を制御する表示制御手段と、
を具備することを特徴とする画像読取装置。
【請求項２】
前記操作手段は、頁送りキーと頁戻りキーとを有し、
前記表示制御手段は、前記プレビュー画面の表示期間中において、前記頁送りキーが押下された後に前記数値入力キーの操作によって所定の数値が入力された場合は、現在プレビュー画面上に表示中の原稿から前記所定の数値分だけ頁が進んだ原稿の画像データを前記記憶手段から読み出し、一方、前記頁戻りキーが押下された後に前記数値入力キーの操作によって所定の数値が入力された場合は、現在プレビュー画面上に表示中の原稿から前記所定の数値分だけ頁が戻った原稿の画像データを前記記憶手段から読み出す、
ことを特徴とする請求項１記載の画像読取装置。
【請求項３】
前記記憶手段は、前記原稿の画像データを１頁ずつ別個のフォルダに格納して記憶し、
前記表示手段は、前記表示制御手段の制御によって前記フォルダの一覧を示すフォルダ一覧画面と、前記プレビュー画面とを択一的に表示し、
前記操作手段は、前記フォルダ一覧画面からフォルダを選択するためのフォルダ選択キーと、選択されたフォルダに応じた原稿の画像を表示する前記プレビュー画面に切り替えるためのプレビュー表示キーとを有し、
前記表示制御手段は、前記フォルダ一覧画面の表示期間中に、前記フォルダ選択キーの操作入力によって選択されたフォルダに格納された画像データを前記記憶手段から読み出し、前記プレビュー表示キーが押された場合に前記プレビュー画面に切り替え、前記読み出した画像データに応じた原稿の画像を表示するように前記表示手段を制御する、
ことを特徴とする請求項１または２記載の画像読取装置。
【請求項４】
請求項１〜３のいずれか一項に記載の画像読取装置を具備することを特徴とする画像形成装置。
【発明の詳細な説明】
【技術分野】
【０００１】
本発明は、読み取った原稿のプレビュー画面表示機能を有する画像読取装置、及び当該画像読取装置を備えた画像形成装置に関する。
【背景技術】
【０００２】
近年、読み取った原稿のプレビュー画面表示機能を有するスキャナ等の画像読取装置や、このような画像読取装置を備えた複写機等の画像形成装置が主流となりつつある（例えば、下記特許文献１参照）。このプレビュー画面表示機能は、読み取った原稿の画像データを１頁ずつ別個のフォルダに格納して記憶しておき、このフォルダの一覧を表示部に表示させて、ユーザからのフォルダ選択操作入力とプレビュー表示指示入力があった場合に、プレビュー画面に切り替え、そのフォルダ選択操作入力で選択されたフォルダに格納されている画像データを基に、表示部に当該画像データに応じた原稿の画像をプレビュー表示するものである。
【特許文献１】特開２００６−３４５０７２号公報
【発明の開示】
【発明が解決しようとする課題】
【０００３】
このようなプレビュー画面表示機能では、プレビュー画面の表示期間中に、ユーザが表示原稿画像を切り替えるための原稿切替キーを押すことにより、フォルダ一覧画面に戻ることなく、所定の表示順序に応じた次頁の原稿の画像に切り替えることができる。しかしながら、従来では原稿切替キーを１回押す毎に、１頁分の原稿画像の切り替えを行うことしかできず、ユーザはプレビュー画面上に所望の頁の原稿の画像を表示させる場合、その原稿に切り替わるまで原稿切替キーを複数回押すという操作を行う必要がある。
【０００４】
このように、従来では、所望の頁に該当する原稿をプレビュー画面上に表示させるには、原稿切替キーを複数回押す必要があり、頁数が多くなるほどユーザに負担を強いることになっていた。また、所望の頁に該当する原稿をプレビュー表示させるまでの時間は、頁数が多くなるほど長くなるためユーザの作業効率が低下するという問題も生じていた。
【０００５】
本発明は、上述した事情に鑑みてなされたものであり、所望の頁に該当する原稿をプレビュー表示させる場合において、ユーザの負担を軽減すると共に作業効率の低下を抑制することが可能な画像読取装置及び画像形成装置を提供することを目的とする。
【課題を解決するための手段】
【０００６】
上記目的を達成するために、本発明は、画像読取装置に係る第１の解決手段として、読み取った原稿のプレビュー画面表示機能を有する画像読取装置であって、前記原稿を読み取り、当該読み取った原稿の画像データを生成する画像読取手段と、前記画像読取手段によって生成した原稿の画像データを記憶する記憶手段と、前記画像データに応じた原稿の画像をプレビュー画面上に表示する表示手段と、数値入力キーが設けられた操作手段と、前記プレビュー画面の表示期間中において、前記数値入力キーの操作によって所定の数値が入力された場合、現在プレビュー画面上に表示中の原稿から前記所定の数値分だけ頁が進んだ、または頁が戻った原稿の画像データを前記記憶手段から読み出し、当該読み出した画像データに応じた原稿の画像を表示するように前記表示手段を制御する表示制御手段とを具備することを特徴とする。
【０００７】
また、画像読取装置に係る第２の解決手段として、上記第１の解決手段において、前記操作手段は、頁送りキーと頁戻りキーとを有し、前記表示制御手段は、前記プレビュー画面の表示期間中において、前記頁送りキーが押下された後に前記数値入力キーの操作によって所定の数値が入力された場合は、現在プレビュー画面上に表示中の原稿から前記所定の数値分だけ頁が進んだ原稿の画像データを前記記憶手段から読み出し、一方、前記頁戻りキーが押下された後に前記数値入力キーの操作によって所定の数値が入力された場合は、現在プレビュー画面上に表示中の原稿から前記所定の数値分だけ頁が戻った原稿の画像データを前記記憶手段から読み出すことを特徴とする。
【０００８】
また、画像読取装置に係る第３の解決手段として、上記第１または第２の解決手段において、前記記憶手段は、前記原稿の画像データを１頁ずつ別個のフォルダに格納して記憶し、前記表示手段は、前記表示制御手段の制御によって前記フォルダの一覧を示すフォルダ一覧画面と、前記プレビュー画面とを択一的に表示し、前記操作手段は、前記フォルダ一覧画面からフォルダを選択するためのフォルダ選択キーと、選択されたフォルダに応じた原稿の画像を表示する前記プレビュー画面に切り替えるためのプレビュー表示キーとを有し、前記表示制御手段は、前記フォルダ一覧画面の表示期間中に、前記フォルダ選択キーの操作入力によって選択されたフォルダに格納された画像データを前記記憶手段から読み出し、前記プレビュー表示キーが押された場合に前記プレビュー画面に切り替え、前記読み出した画像データに応じた原稿の画像を表示するように前記表示手段を制御することを特徴とする。
【０００９】
一方、本発明は、画像形成装置に係る解決手段として、上記第１〜第３のいずれかの解決手段を有する画像読取装置を具備することを特徴とする。
【発明の効果】
【００１０】
本発明に係る画像読取装置によれば、プレビュー画面の表示期間中において、前記数値入力キーの操作によって所定の数値が入力された場合、現在プレビュー画面上に表示中の原稿から前記所定の数値分だけ頁が進んだ、または頁が戻った原稿の画像データを前記記憶手段から読み出し、当該読み出した画像データに応じた原稿の画像を表示するように前記表示手段を制御するので、ユーザは表示原稿の頁を送る場合には数値入力キーを操作して所望の数値を入力するだけで良い。従って、従来のように、プレビュー画面上の表示原稿の頁を送る場合に原稿切替キーを複数回押す必要はなく、ユーザの負担を軽減すると共に作業効率の低下を抑制することが可能である。また、ここで入力する数値は、頁番号ではなく、現在表示中の原稿から何頁分だけ進めるか（または戻るか）を規定する数値であることに注意されたい。すなわち、頁数が膨大な原稿の場合、所望の頁番号がはっきりとわからない場合もあり得るため、正確な頁番号の入力は困難である。また、例えば、現在５頁目の原稿を表示させた状態で５頁分先の原稿を表示させたい場合に、頁番号を指定する方法を用いると、ユーザは現在の頁番号から計算して「１０頁」と指定しなければならない。一方、本発明によると、ユーザは直感的に「５」という数値を入力すれば良く、ざっくりと頁を飛ばして原稿を表示させたい場合に非常に有効である。
【００１１】
また、プレビュー画面の表示期間中において、前記頁送りキーが押下された後に前記数値入力キーの操作によって所定の数値が入力された場合は、現在プレビュー画面上に表示中の原稿から前記所定の数値分だけ頁が進んだ原稿の画像データを前記記憶手段から読み出し、一方、前記頁戻りキーが押下された後に前記数値入力キーの操作によって所定の数値が入力された場合は、現在プレビュー画面上に表示中の原稿から前記所定の数値分だけ頁が戻った原稿の画像データを前記記憶手段から読み出すことにより、プレビュー画面上に表示する原稿を自由に送ったり戻したりすることができ、ユーザの使い勝手の向上を図ることができる。
【００１２】
一方、本発明に係る画像形成装置によれば、上記のような特徴を有する画像読取装置を具備することにより、所望の頁に該当する原稿をプレビュー表示させる場合において、ユーザの負担を軽減すると共に作業効率の低下を抑制することが可能である。
【発明を実施するための最良の形態】
【００１３】
以下、図面を参照して、本発明の一実施形態について説明する。
図１は、本実施形態に係る画像形成装置１００の機能ブロック図である。画像形成装置１００は、例えば複写機及び印刷機の機能を有する複合機であり、ＣＰＵ(Central Processing Unit)１０、ＲＯＭ(Read Only Memory)１１、ＲＡＭ(Random Access Memory)１２、各種センサ群１３、用紙搬送部１４、画像読取部１５、読取画像データ記憶部１６、画像形成部１７、通信Ｉ／Ｆ部１８及び操作表示部１９を備えている。なお、符号２００は、外部から画像形成装置１００へ印刷指示するためのＰＣ(Personal Computer)である。
【００１４】
ＣＰＵ（表示制御手段）１０は、ＲＯＭ１１に記憶されている制御プログラムや、各種センサ群１３から入力される検出信号、読取画像データ記憶部１６に記憶されている、画像読取部１５によって読み取った原稿の画像データ、通信Ｉ／Ｆ部１８を介してＰＣ２００から受信した印刷指示信号及び印刷用画像データ、操作表示部１９から入力される操作信号に基づいて画像形成装置１００の全体動作を制御する。
【００１５】
ＲＯＭ１１は、ＣＰＵ１０で使用される制御プログラムやその他のデータを記憶する不揮発性メモリである。ＲＡＭ１２は、ＣＰＵ１０が制御プログラムを実行して各種動作を行う際に、データの一時保存先に用いられるワーキングメモリである。各種センサ群１３は、例えば用紙切れ検出センサや、用紙位置検出センサ、温度センサ等の画像形成動作に必要な各種センサであり、それぞれで検出した各種の情報を検出信号としてＣＰＵ１０に出力する。用紙搬送部１４は、図示しない用紙トレイに収納されている用紙を画像形成部１７に搬送するための搬送ローラ及び搬送ローラ駆動用のモータや、画像形成処理後の用紙を図示しない排紙トレイに搬送するための搬送ローラ及び搬送ローラ駆動用のモータなどから構成されている。
【００１６】
画像読取部（画像読取手段）１５は、図示しない原稿台にセットされた原稿に対して走査状に照明光を照射し、その反射光をＣＣＤ(Charge Coupled Device)センサによって受光してアナログ電圧信号に変換した後、当該アナログ電圧信号をデジタル変換することにより、読み取った原稿の画像データを生成するものである。なお、画像読取部１５は、生成した画像データをＣＰＵ１０に出力し、一方、ＣＰＵ１０は、原稿の画像データを１頁ずつ別個のフォルダに格納して読取画像データ記憶部１６に記憶させる。読取画像データ記憶部（記憶手段）１６は、例えばフラッシュメモリであり、ＣＰＵ１０の要求に応じて原稿の画像データを１頁ずつ別個のフォルダに格納して記憶する一方、所定の原稿の画像データをＣＰＵ１０に出力する。
【００１７】
画像形成部１７は、ＣＰＵ１０の制御の下、読取画像データ記憶部１６に記憶されている画像データやＰＣ２００から受信した印刷用画像データに基づいて、用紙搬送部１４から搬送される用紙にトナー像を転写し、当該トナー像の定着処理（画像形成）を行う。通信Ｉ／Ｆ部１８は、画像形成装置１００（詳しくはＣＰＵ１０）と外部のＰＣ２００との間で通信を行うためのインタフェースであり、ＬＡＮ(Local Area Network)等のネットワークによってＰＣ２００と接続されている。
【００１８】
図２は、操作表示部１９の外観図である。なお、この操作表示部１９は、本発明における表示手段と操作手段との両方の機能を有するものである。この図２に示すように、操作表示部１９は、コピースタートキー２０、コピーストップキー２１、電源キー２２、テンキー（数値入力キー）２３、文書ボックスキー２４やその他の各種操作キー、タッチパネル２５を備えている。
【００１９】
図３は、タッチパネル２５に表示される画面の一例を示すものである。図３（a）は、フォルダ一覧画面を示すものである。このフォルダ一覧画面は、ＣＰＵ１０が文書ボックスキー２４の押下を検知した場合に、読取画像データ記憶部１６に記憶されている原稿の画像データが格納されたフォルダに関する一覧情報を表示するように、タッチパネル２５（より詳細にはタッチパネル２５に設けられた液晶表示装置などの表示部）を制御したときに表示されるものである。この図３（a）に示すように、フォルダ一覧画面には、原稿の画像データが格納されたフォルダの名称やデータサイズ等の一覧情報が表示されると共に、フォルダを選択するためのフォルダ選択キー３０、選択されたフォルダに応じた原稿の画像を表示するプレビュー画面に切り替えるためのプレビュー表示キー３１が表示されている。
【００２０】
図３（b）は、プレビュー画面を示すものである。このプレビュー画面は、ＣＰＵ１０がフォルダ一覧画面の表示期間中にプレビュー表示キー３１の押下を検知した場合に切り替える画面であり、ＣＰＵ１０はフォルダ一覧画面で選択されたフォルダに格納されている画像データを読取画像データ記憶部１６から読み出し、当該読み出した画像データに応じた原稿の画像をプレビュー画面上に表示するようにタッチパネル２５を制御する。これにより、図３（b）に示すように、プレビュー画面にはフォルダ一覧画面で選択された原稿の画像「Ａ」がプレビュー表示される。また、このプレビュー画面には、プレビュー画面の表示期間中に表示原稿画像を切り替えるための原稿切替キー４０と、プレビュー画面を閉じて前の画面（つまりフォルダ一覧画面）に戻るための戻りキー４１と、頁送りキー４２と、頁戻りキー４３とが表示されている。このように、タッチパネル２５には、フォルダ選択キー３０、プレビュー表示キー３１、原稿切替キー４０、戻りキー４１、頁送りキー４２、頁戻りキー４３やその他の各種操作キーが設けられている。
【００２１】
次に、上記のように構成された本実施形態に係る画像形成装置１００の動作について図４のフローチャートを参照して説明する。なお、本画像形成装置１００の画像形成動作（複写・印刷動作）については従来と同様であるため説明を省略し、以下では本画像形成装置１００の特徴的な動作（プレビュー表示動作）について説明する。また、読取画像データ記憶部１６には、既に画像読取部１５によって読み取られた原稿の画像データが１頁ずつフォルダに格納されて記憶されているものとする。
【００２２】
まず、ＣＰＵ１０は、操作表示部１９に設けられた文書ボックスキー２４の押下を検知すると（ステップＳ１）、読取画像データ記憶部１６に記憶されている原稿の画像データが格納されたフォルダに関する一覧情報を示すフォルダ一覧画面を表示するように、タッチパネル２５を制御する（ステップＳ２）。これにより、タッチパネル２５には、図３（a）に示すようなフォルダ一覧画面が表示される。なお、これらのフォルダは所定の順序（表示順序）に並べられて一覧表示されている。この表示順序は、読み取った原稿の頁順でも良いし、画像データのサイズや名称、更新日時に応じた順序でも良い。また、フォルダ一覧画面が表示された時点では、上記の表示順序の一番最初の頁に該当するフォルダが自動的に選択されている（図３（a）における網掛け部分）。
【００２３】
続いて、ＣＰＵ１０は、フォルダ選択キー３０が押下されたか否かを判定し（ステップＳ３）、フォルダ選択キー３０が押下されたと判定した場合（YES）、上記の表示順序において次頁に該当するフォルダを選択する（ステップＳ４）。その後、ＣＰＵ１０はステップＳ３の処理に戻る。一方、ＣＰＵ１０は、フォルダ選択キー３０が押下されていないと判定した場合（NO）、プレビュー表示キー３１が押下されたか否かを判定する（ステップＳ５）。
【００２４】
このステップＳ５において、ＣＰＵ１０は、プレビュー表示キー３１が押下されていないと判定した場合（NO）、ステップＳ３の処理に戻り、一方、プレビュー表示キー３１が押下されたと判定した場合（YES）、プレビュー画面を表示するようにタッチパネル２５を制御する（ステップＳ６）。ここで、ＣＰＵ１０は、フォルダ一覧画面の表示期間中にステップＳ３及びＳ４の処理によって選択されたフォルダに格納された画像データを読取画像データ記憶部１６から読み出し、当該読み出した画像データに応じた原稿の画像をプレビュー画面上に表示するようにタッチパネル２５を制御する。これにより、図３（b）に示すように、選択されたフォルダに応じた原稿の画像が表示されたプレビュー画面が表示される。
【００２５】
続いて、ＣＰＵ１０は、原稿切替キー４０が押下されたか否かを判定し（ステップＳ７）、原稿切替キー４０が押下されたと判定した場合（YES）、現在表示中の原稿の次頁に該当するフォルダに格納されている画像データを読取画像データ記憶部１６から読み出し、当該読み出した画像データに応じた原稿の画像をプレビュー画面上に表示するようにタッチパネル２５を制御する（ステップＳ８）。これにより、図５に示すように、プレビュー画面上では、現在表示中の原稿の画像「Ａ」から次頁に該当する原稿の画像「Ｂ」に切り替わって表示される。なお、ステップＳ８以降、ＣＰＵ１０はステップＳ７の処理に戻る。
【００２６】
ステップＳ７において、ＣＰＵ１０は、原稿切替キー４０が押下されていないと判定した場合（NO）、頁送りキー４２が押下されたか否かを判定する（ステップＳ９）。このステップＳ９において、ＣＰＵ１０は、頁送りキー４２が押下されたと判定した場合（YES）、テンキー２３の操作によって入力される数値を頁送り用数値として検知する（ステップＳ１０）。そして、ＣＰＵ１０は、現在表示中の原稿から上記頁送り用数値分だけ頁が進んだ原稿の画像データを読取画像データ記憶部１６から読み出し、当該読み出した画像データに応じた原稿の画像を表示するようにタッチパネル２５を制御する（ステップＳ１１）。これにより、図６に示すように、プレビュー画面上では、現在表示中の原稿の画像「Ａ」から上記頁送り用数値分だけ頁が進んだ原稿の画像「Ｆ」に切り替わって表示される。なお、ステップＳ１１以降、ＣＰＵ１０はステップＳ１５の処理に移行する。
【００２７】
一方、ステップＳ９において、ＣＰＵ１０は、頁送りキー４２が押下されていないと判定した場合（NO）、頁戻りキー４３が押下されたか否かを判定する（ステップＳ１２）。このステップＳ１２において、ＣＰＵ１０は、頁戻りキー４３が押下されたと判定した場合（YES）、テンキー２３の操作によって入力される数値を頁戻り用数値として検知する（ステップＳ１３）。そして、ＣＰＵ１０は、現在表示中の原稿から上記頁戻り用数値分だけ頁が戻った原稿の画像データを読取画像データ記憶部１６から読み出し、当該読み出した画像データに応じた原稿の画像を表示するようにタッチパネル２５を制御する（ステップＳ１４）。なお、ステップＳ１４以降、ＣＰＵ１０はステップＳ１５の処理に移行する。一方、ステップＳ１２において、ＣＰＵ１０は、頁戻りキー４３が押下されていないと判定した場合（NO）、ステップＳ７の処理に戻る。
【００２８】
そして、ＣＰＵ１０は、戻りキー４１が押下されたか否かを判定する（ステップＳ１５）。このステップＳ１５において、ＣＰＵ１０は、戻りキー４１が押下されていないと判定した場合（NO）、ステップＳ７の処理に戻り、一方、戻りキー４１が押下されたと判定した場合（YES）、ステップＳ２の処理に戻る（つまりフォルダ一覧画面に戻る）。
【００２９】
以上のように、本実施形態に係る画像形成装置１００によれば、プレビュー画面の表示期間中において、ユーザは表示原稿の頁を送る場合にはテンキー２３を操作して所望の数値を入力するだけで良い。従って、従来のように、プレビュー画面上の表示原稿の頁を送る場合に原稿切替キー４０を複数回押す必要はなく、ユーザの負担を軽減すると共に作業効率の低下を抑制することが可能である。また、ここでテンキー２３によって入力する数値は、頁番号ではなく、現在表示中の原稿から何頁分だけ進めるか（または戻るか）を規定する数値であるので、直感的にざっくりと頁を飛ばして原稿を表示させたい場合に非常に有効である。
【００３０】
なお、上記実施形態では、テンキー２３を、図２に示す操作表示部１９におけるコピースタートキー２０、コピーストップキー２１、電源キー２２等と同じ領域に設けたが、これに限らず、タッチパネル２５上に設けても良い。例えば、頁送りキー４２または頁戻りキー４３を押下した場合に、タッチパネル２５上にテンキー２３が表示されるようにしても良い。また、上記実施形態では、プレビュー画面上に１頁ずつ原稿の画像を表示させたが、これに限らず、複数頁を同時に表示させるようにしても良い。また、上記実施形態では、複合機である画像形成装置１００を例示して説明したが、上記の構成要素の内、ＣＰＵ１０、画像読取部１５、読取画像データ記憶部１６及び操作表示部１９を備えたスキャナ等の画像読取装置を単独で構成しても良い。
【図面の簡単な説明】
【００３１】
【図１】本発明の一実施形態に係る画像形成装置１００の機能ブロック図である。
【図２】本発明の一実施形態に係る画像形成装置１００におけるタッチパネル２５に表示されるフォルダ一覧画面の一例である。
【図３】本発明の一実施形態に係る画像形成装置１００におけるタッチパネル２５に表示されるプレビュー画面の一例である。
【図４】本発明の一実施形態に係る画像形成装置１００の動作を示すフローチャートである。
【図５】本発明の一実施形態に係る画像形成装置１００の動作に関する第１説明図である。
【図６】本発明の一実施形態に係る画像形成装置１００の動作に関する第２説明図である。
【符号の説明】
【００３２】
１００…画像形成装置、１０…ＣＰＵ(Central Processing Unit)、１１…ＲＯＭ(Read Only Memory)、１２…ＲＡＭ(Random Access Memory)、１３…各種センサ群、１４…用紙搬送部、１５…画像読取部、１６…読取画像データ記憶部、１７…画像形成部、１８…通信Ｉ／Ｆ部、１９…操作表示部、２０…コピースタートキー、２１…コピーストップキー、２２…電源キー、２３…テンキー、２４…文書ボックスキー、２５…タッチパネル、３０…フォルダ選択キー、３１…プレビュー表示キー、４０…原稿切替キー、４１…戻りキー、４２…頁送りキー、４３…頁戻りキー、２００…ＰＣ(Personal Computer)
【図１】
2008245052.tif 000003
【図２】
2008245052.tif 000004
【図３】
2008245052.tif 000005
【図４】
2008245052.tif 000006
【図５】
2008245052.tif 000007
【図６】
2008245052.tif 000008